(57)【要約】      （修正有）【課題】テトラゾリウム化合物を用いた試料中の測定対象物質の測定において、試料に含まれるヘモグロビン、アスコルビン酸等の種々の妨害物質の影響を抑制し、試料中の測定対象物質の濃度を正確に測定することが出来る測定方法及び測定試薬を提供する。【解決手段】テトラゾリウム化合物を用いる試料中の測定対象物質の測定において、テトラゾリウム化合物の非特異的発色抑制剤として、トリンダー試薬、スーパーオキシドジスムターゼ、又は１，２−ジヒドロキシ−３，５−ベンゼンジスルホン酸若しくはその塩から選択された１種以上の物質を、測定反応液中又は測定試薬中に存在又は含有させることを特徴とする試料中の測定対象物質の測定方法及び測定試薬。【選択図】なし【特許請求の範囲】
【請求項１】
テトラゾリウム化合物を用いる試料中の測定対象物質の測定方法において、トリンダー試薬、スーパーオキシドジスムターゼ、又は１，２−ジヒドロキシ−３，５−ベンゼンジスルホン酸若しくはその塩から選択された１種以上の物質を、測定反応液中に存在させることを特徴とする、試料中の測定対象物質の測定方法。
【請求項２】
トリンダー試薬、スーパーオキシドジスムターゼ、又は１，２−ジヒドロキシ−３，５−ベンゼンジスルホン酸若しくはその塩から選択された１種以上の物質を、テトラゾリウム化合物の非特異的発色抑制剤として存在させる、請求項１記載の試料中の測定対象物質の測定方法。
【請求項３】
テトラゾリウム化合物を用いる試料中の測定対象物質の測定試薬において、トリンダー試薬、スーパーオキシドジスムターゼ、又は１，２−ジヒドロキシ−３，５−ベンゼンジスルホン酸若しくはその塩から選択された１種以上の物質を含有させることを特徴とする、試料中の測定対象物質の測定試薬。
【請求項４】
トリンダー試薬、スーパーオキシドジスムターゼ、又は１，２−ジヒドロキシ−３，５−ベンゼンジスルホン酸若しくはその塩から選択された１種以上の物質を、テトラゾリウム化合物の非特異的発色抑制剤として含有させる、請求項３記載の試料中の測定対象物質の測定試薬。
【請求項５】
テトラゾリウム化合物を用いる試料中の測定対象物質の測定において、トリンダー試薬、スーパーオキシドジスムターゼ、又は１，２−ジヒドロキシ−３，５−ベンゼンジスルホン酸若しくはその塩から選択された１種以上の物質の存在下で測定を行うことにより、テトラゾリウム化合物の非特異的発色を抑制する方法。
【請求項６】
トリンダー試薬、スーパーオキシドジスムターゼ、又は１，２−ジヒドロキシ−３，５−ベンゼンジスルホン酸若しくはその塩から選択された１種以上の物質よりなる、テトラゾリウム化合物を用いる試料中の測定対象物質測定時のテトラゾリウム化合物の非特異的発色抑制剤。
【発明の詳細な説明】
【技術分野】
【０００１】  本発明は、テトラゾリウム化合物を用いた試料中の測定対象物質の測定方法及び測定試薬、テトラゾリウム化合物の非特異的発色を抑制する方法、テトラゾリウム化合物の非特異的発色抑制剤に関するものである。
本発明は、特に、化学、生命科学、分析化学及び臨床検査等の分野において有用なものである。
【背景技術】
【０００２】  血液等の試料中の測定対象物質を測定し、その変動を見ることは、疾患の診断、治療、早期発見や予防に不可欠であり、様々な測定方法が開発されている。
このような測定方法の一つとして、電子受容体と測定対象物質の間に酵素等によって酸化反応を起こさせ、生成した電子受容体の還元体の測定を行い、生体試料中に含まれる測定対象物質を測定する方法を挙げることができる。
例えば、電子受容体としてニコチンアミドアデニンジヌクレオチド（ＮＡＤ）又はニコチンアミドアデニンジヌクレオチドリン酸（ＮＡＤＰ）を用い、その還元体である還元型ニコチンアミドアデニンジヌクレオチド（ＮＡＤＨ）又は還元型ニコチンアミドアデニンジヌクレオチドリン酸（ＮＡＤＰＨ）にジアホラーゼや１−メトキシ−５−メチルフェナジニウムメチルサルフェイト等の電子伝達体とテトラゾリウム化合物を作用させ、生成するホルマザン色素を比色測定する方法を挙げることができる。【０００３】  しかしながら、前記のテトラゾリウム化合物を用いた試料中の測定対象物質の測定においては、試料に含まれるアスコルビン酸等の種々の妨害物質により影響を受け易いことも知られている。すなわち、試料に含まれる種々の妨害物質によってテトラゾリウム化合物が還元されてしまい、ＮＡＤＨまたはＮＡＤＰＨが存在しなくとも、ホルマザン色素を生成してしまい、試料中の測定対象物質の測定値に正の誤差を与えてしまうことが知られていた（例えば、特許文献１参照。）。【０００４】  なお、この試料中の妨害物質の影響を抑制する方法としては、例えば、アスコルビン酸の影響をアスコルビン酸オキシダーゼによって抑制する方法（例えば、特許文献２参照。）等が提案されている。【０００５】
【特許文献１】  特開昭６４−４５３７４号公報
【特許文献２】  特開昭５６−３９１９８号公報
【発明の開示】
【発明が解決しようとする課題】
【０００６】  したがって、本発明の課題は、テトラゾリウム化合物を用いた試料中の測定対象物質の測定において、試料に含まれるヘモグロビン、アスコルビン酸等の種々の妨害物質の影響を抑制し、試料中の測定対象物質の濃度を正確に測定することが出来る測定方法及び測定試薬を提供することである。
また、本発明の課題は、テトラゾリウム化合物の非特異的発色を抑制する方法を提供することであり、テトラゾリウム化合物の非特異的発色抑制剤を提供することである。
【課題を解決するための手段】
【０００７】  本発明者は、テトラゾリウム化合物を用いた試料中の測定対象物質の測定において、試料に含まれるヘモグロビンによって、テトラゾリウム化合物の非特異的発色が起こり、試料中の測定対象物質の測定値に正の誤差を与えてしまうことを見出した。
また、本発明者は、テトラゾリウム化合物を用いた試料中の測定対象物質の測定においては、測定試薬にアスコルビン酸オキシダーゼを存在させていた場合においても、試料中のアスコルビン酸によってテトラゾリウム化合物の非特異的発色が起こり、試料中の測定対象物質の測定値に正の誤差を与えてしまうことを見出した。すなわち、テトラゾリウム化合物を用いた試料中の測定対象物質の測定において、測定試薬にアスコルビン酸オキシダーゼを存在させていても、アスコルビン酸の影響抑制が不十分であることを見出した。
更に、本発明者は、テトラゾリウム化合物を用いた試料中の測定対象物質の測定においては、試料中のヘモグロビンやアスコルビン酸以外の種々の血中成分により、テトラゾリウム化合物の非特異的発色が起こり、試料中の測定対象物質の測定値に正の誤差を与えてしまうことを見出した。【０００８】  本発明者は、上記の課題の解決を目指して鋭意検討を行った結果、テトラゾリウム化合物を用いる試料中の測定対象物質の測定において、トリンダー試薬、スーパーオキシドジスムターゼ、又は１，２−ジヒドロキシ−３，５−ベンゼンジスルホン酸若しくはその塩から選択された１種以上の物質を、測定反応液中に存在させることにより、試料中のヘモグロビン、アスコルビン酸等の種々の妨害物質の影響を抑制し、試料中の測定対象物質の濃度を正確に測定できることを見出し、本発明を完成するに至った。【０００９】  すなわち、本発明は、以下の発明を提供する。
（１）  テトラゾリウム化合物を用いる試料中の測定対象物質の測定方法において、トリンダー試薬、スーパーオキシドジスムターゼ、又は１，２−ジヒドロキシ−３，５−ベンゼンジスルホン酸若しくはその塩から選択された１種以上の物質を、測定反応液中に存在させることを特徴とする、試料中の測定対象物質の測定方法。
（２）  トリンダー試薬、スーパーオキシドジスムターゼ、又は１，２−ジヒドロキシ−３，５−ベンゼンジスルホン酸若しくはその塩から選択された１種以上の物質を、テトラゾリウム化合物の非特異的発色抑制剤として存在させる、前記（１）記載の試料中の測定対象物質の測定方法。
（３）  テトラゾリウム化合物を用いる試料中の測定対象物質の測定試薬において、トリンダー試薬、スーパーオキシドジスムターゼ、又は１，２−ジヒドロキシ−３，５−ベンゼンジスルホン酸若しくはその塩から選択された１種以上の物質を含有させることを特徴とする、試料中の測定対象物質の測定試薬。
（４）  トリンダー試薬、スーパーオキシドジスムターゼ、又は１，２−ジヒドロキシ−３，５−ベンゼンジスルホン酸若しくはその塩から選択された１種以上の物質を、テトラゾリウム化合物の非特異的発色抑制剤として含有させる、前記（３）記載の試料中の測定対象物質の測定試薬。
（５）  テトラゾリウム化合物を用いる試料中の測定対象物質の測定において、トリンダー試薬、スーパーオキシドジスムターゼ、又は１，２−ジヒドロキシ−３，５−ベンゼンジスルホン酸若しくはその塩から選択された１種以上の物質の存在下で測定を行うことにより、テトラゾリウム化合物の非特異的発色を抑制する方法。
（６）  トリンダー試薬、スーパーオキシドジスムターゼ、又は１，２−ジヒドロキシ−３，５−ベンゼンジスルホン酸若しくはその塩から選択された１種以上の物質よりなる、テトラゾリウム化合物を用いる試料中の測定対象物質測定時のテトラゾリウム化合物の非特異的発色抑制剤。
【発明の効果】
【００１０】  本発明によれば、テトラゾリウム化合物を用いた試料中の測定対象物質の測定において、テトラゾリウム化合物の非特異的発色抑制剤として、トリンダー試薬、スーパーオキシドジスムターゼ、又は１，２−ジヒドロキシ−３，５−ベンゼンジスルホン酸若しくはその塩から選択された１種以上の物質を、測定反応液中又は測定試薬中に存在又は含有させることにより、試料に含まれるヘモグロビン、アスコルビン酸等の種々の妨害物質の影響を抑制し、試料中の測定対象物質の濃度を正確に測定することができるものである。
【発明を実施するための最良の形態】
【００１１】（１）  テトラゾリウム化合物
本発明においては、テトラゾリウム化合物を使用して、試料中の測定対象物質の測定を行う。
本発明において、テトラゾリウム化合物としては、例えば、テトラゾリウムブルー〔ＴＢ〕、ニトロテトラゾリウムブルー〔ニトロ−ＴＢ〕、テトラゾリウムバイオレット〔ＴＶ〕、ニトロブルーテトラゾリウム〔ＮＢＴ〕、３−（４，５−ジメチル−２−チアゾリル）−２，５−ジフェニル−２Ｈテトラゾリウム〔ＭＴＴ〕、２−（４−ヨードフェニル）−３−（４−ニトロフェニル）−５−（２，４−ジスルフェニル）−２Ｈ−テトラゾリウム塩〔ＷＳＴ−１〕、２−（４−ヨードフェニル）−３−（２，４−ジニトロフェニル）−５−（２，４−ジスルフェニル）−２Ｈ−テトラゾリウム塩〔ＷＳＴ−３〕、２−（２−メトキシ−４−ニトロフェニル）−３−（４−ニトロフェニル）−５−（２，４−ジスルフェニル）−２Ｈ−テトラゾリウム塩〔ＷＳＴ−８〕、２，３，５−トリフェニルテトラゾリウム、３−（４，５−ジメチルチアゾール−２−フェニル）−５−（３−カルボキシメトキシフェニル）−２−（４−スルフォフェニル）−２Ｈ−テトラゾリウム塩〔ＭＴＳ〕等の公知のものを挙げることができる。【００１２】  本発明において、テトラゾリウム化合物は、市販品をそのまま用いることができる。また、テトラゾリウム化合物の濃度は、特に限定されないが、生体試料と測定試薬を混合した後の測定反応液中において、３μＭ〜３０ｍＭの範囲にあることが好ましく、１０μＭ〜１０ｍＭの範囲が特に好ましい。【００１３】（２）  トリンダー試薬、スーパーオキシドジスムターゼ、又は１，２−ジヒドロキシ−３，５−ベンゼンジスルホン酸若しくはその塩
本発明のテトラゾリウム化合物を用いる試料中の測定対象物質の測定においては、テトラゾリウム化合物の非特異的発色抑制剤として、トリンダー試薬、スーパーオキシドジスムターゼ、又は１，２−ジヒドロキシ−３，５−ベンゼンジスルホン酸若しくはその塩から選択された１種以上の物質を、測定反応液中又は測定試薬中に存在又は含有させることにより、試料中の測定対象物質の測定を行う。
ここで、トリンダー試薬としては、例えば、フェノール、フェノール誘導体又はその塩、若しくは、アニリン誘導体又はその塩を挙げることができる。
フェノール誘導体又はその塩としては、例えば、４−クロロフェノール、２，４−ジクロロフェノール、２，４−ジブロモフェノール、２，４，６−トリクロロフェノールなどのフェノール誘導体又はこれらの塩等の公知のものを挙げることができる。
また、アニリン誘導体又はその塩としては、例えば、Ｎ−（２−ヒドロキシ−３−スルホプロピル）−３，５−ジメトキシアニリンナトリウム（ＨＤＡＯＳ）、Ｎ−スルホプロピル−３，５−ジメトキシアニリン（ＨＤＡＰＳ）、Ｎ−エチル−Ｎ−（２−ヒドロキシ−３−スルホプロピル）−３，５−ジメトキシアニリン（ＤＡＯＳ）、Ｎ−（３−スルホプロピル）アニリン（ＨＡＬＰＳ）、Ｎ−エチル−Ｎ−（２−ヒドロキシ−３−スルホプロピル）−３，５−ジメチルアニリン（ＭＡＯＳ）、Ｎ−エチル−Ｎ−（３−スルホプロピル）−３，５−ジメチルアニリン（ＭＡＰＳ）、Ｎ−エチル−Ｎ−（２−ヒドロキシ−３−スルホプロピル）アニリン（ＡＬＯＳ）、Ｎ−エチル−Ｎ−（３−スルホプロピル）アニリン（ＡＬＰＳ）、Ｎ−エチル−Ｎ−（３−スルホプロピル）−３−メトキシアニリン（ＡＤＰＳ）、Ｎ−エチル−Ｎ−（２−ヒドロキシ−３−スルホプロピル）−３−メトキシアニリン（ＡＤＯＳ）、Ｎ−エチル−Ｎ−スルホプロピル−３，５−ジメトキシアニリン（ＤＡＰＳ）、Ｎ−エチル−Ｎ−（２−ヒドロキシ−３−スルホプロピル）−３，５−ジメトキシ−４−フルオロアニリン（ＦＤＡＯＳ）、Ｎ−エチル−Ｎ−スルホプロピル−３，５−ジメトキシ−４−フルオロアニリン（ＦＤＡＰＳ）、Ｎ−エチル−Ｎ−（２−ヒドロキシ−３−スルホプロピル）−３−メチルアニリン（ＴＯＯＳ）、Ｎ−ビス（４−スルホブチル）−３，５−ジメチルアニリン（ＭＡＤＢ）、Ｎ，Ｎ−ビス（４−スルホブチル）−３−メチルアニリン（ＴＯＤＢ）、Ｎ−（２−カルボキシエチル）−Ｎ−エチル−３−メチルアニリン（ＣＥＭＢ）、Ｎ−（２−カルボキシエチル）−Ｎ−エチル−３，５−ジメトキシアニリン（ＣＥＤＢ）、Ｎ−（２−カルボキシエチル）−Ｎ−エチル−３−メトキシアニリン（ＣＥＭＯ）、Ｎ−エチル−Ｎ−スルホプロピル−ｍ−アニシジン、Ｎ−エチル−Ｎ−スルホプロピルアニリン、Ｎ−エチル−Ｎ−（３−スルホプロピル）−３，５−ジメトキシアニリン、Ｎ−（３−スルホプロピル）−３，５−ジメトキシアニリン、Ｎ−エチル−Ｎ−スルホプロピル−３，５−ジメチルアニリン、Ｎ−エチル−Ｎ−スルホプロピル−ｍ−トルイジン、Ｎ−エチル−Ｎ−（２−ヒドロキシ−３−スルホプロピル）−ｍ−アニシジン、Ｎ−エチル−Ｎ−（２−ヒドロキシ−３−スルホプロピル）アニリン、Ｎ−エチル−Ｎ−（２−ヒドロキシ−３−スルホプロピル）−３，５−ジメトキシアニリン、Ｎ−（２−ヒドロキシ−３−スルホプロピル）−３，５−ジメトキシアニリン、Ｎ−エチル−Ｎ−（２−ヒドロキシ−３−スルホプロピル）−ｍ−トルイジン、Ｎ−スルホプロピルアニリン、Ｎ−エチル−Ｎ−（３−スルホプロピル）−３，５−ジメトキシ−４−フルオロアニリン、又はこれらの塩等の公知のものを挙げることができる。
本発明において、トリンダー試薬は、市販品をそのまま用いることができる。また、トリンダー試薬の濃度は、特に限定されないが、試料と測定試薬を混合した後の測定反応液中において、０．０１〜５％の範囲にあることが好ましく、０．１〜１％の範囲が特に好ましい。【００１４】  本発明において、スーパーオキシドジスムターゼとは、２分子のスーパーオキシドアニオン（活性酸素）から酸素分子と過酸化水素分子を生成する反応（不均化反応）を触媒する酵素のことをいう。
本発明において、スーパーオキシドジスムターゼとしては、いずれの由来のものも使用でき、例えば、ヒト若しくはウシなどの動物由来のもの、大豆などの植物由来のもの、細菌若しくはカビなどの微生物由来のもの等を挙げることができる。
なお、このスーパーオキシドジスムターゼには、微生物等のスーパーオキシドジスムターゼの遺伝子を大腸菌等の微生物等に組み込む遺伝子組み換え技術により調製したもの、又は遺伝子の改変等により性質を改良した微生物等から調製したスーパーオキシドジスムターゼ等も含まれる。また、スーパーオキシドジスムターゼは、市販品をそのまま用いることができる。
なお、スーパーオキシドジスムターゼの濃度は、特に限定されないが、試料と測定試薬を混合した後の測定反応液中において、０．０５〜１０単位／ｍＬの範囲にあることが好ましく、０．１〜５単位／ｍＬの範囲が特に好ましい。【００１５】  本発明において、１，２−ジヒドロキシ−３，５−ベンゼンジスルホン酸又はその塩は、市販品をそのまま用いることができる。
また、１，２−ジヒドロキシ−３，５−ベンゼンジスルホン酸又はその塩の濃度は、特に限定されないが、試料と測定試薬を混合した後の測定反応液中において、０．０１〜５％の範囲にあることが好ましく、０．１〜１％の範囲が特に好ましい。【００１６】  前記のトリンダー試薬、スーパーオキシドジスムターゼ、又は１，２−ジヒドロキシ−３，５−ベンゼンジスルホン酸若しくはその塩は単独で用いてもよいし、２種類以上を混合して用いてもよい。また、混合して使用する場合には、それらを併せた濃度が上記の濃度範囲であればよい。なお、上記の塩としては、例えば、ナトリウム、カリウム、リチウムなどのアルカリ金属塩、マグネシウム、カルシウムなどのアルカリ土類金属塩、アンモニウム塩、又は塩酸塩等を挙げることができる。【００１７】  また、本発明の測定方法及び測定試薬が１ステップ法（１試薬系）である場合は、測定試薬に含ませるトリンダー試薬、スーパーオキシドジスムターゼ、又は１，２−ジヒドロキシ−３，５−ベンゼンジスルホン酸若しくはその塩の濃度は、上記の範囲のものとすればよく、２ステップ法（２試薬系）以上の複数ステップ法（複数試薬系）である場合には、測定対象物質を測定する際の各々の添加量の比で混合した時に、この混合後の測定反応液中のトリンダー試薬、スーパーオキシドジスムターゼ、又は１，２−ジヒドロキシ−３，５−ベンゼンジスルホン酸若しくはその塩の濃度が上記の範囲となるように測定試薬中の濃度を定めればよい。
例えば、２ステップ法（２試薬系）の場合、混合後の測定反応液中のトリンダー試薬、スーパーオキシドジスムターゼ、又は１，２−ジヒドロキシ−３，５−ベンゼンジスルホン酸若しくはその塩の濃度が上記濃度範囲となるように、トリンダー試薬、スーパーオキシドジスムターゼ、又は１，２−ジヒドロキシ−３，５−ベンゼンジスルホン酸若しくはその塩を第１試薬又は第２試薬のいずれかに含ませればよい。
また、混合後の測定反応液中のトリンダー試薬、スーパーオキシドジスムターゼ、又は１，２−ジヒドロキシ−３，５−ベンゼンジスルホン酸若しくはその塩の濃度が上記濃度範囲に入るのであれば、トリンダー試薬、スーパーオキシドジスムターゼ、又は１，２−ジヒドロキシ−３，５−ベンゼンジスルホン酸若しくはその塩は第１試薬と第２試薬の両方に含ませてもよい。【００１８】（３）  測定における他の構成成分
本発明においては、前記の各成分の他に、脱水素酵素、ニコチンアミドアデニンジヌクレオチド又はニコチンアミドアデニンジヌクレオチドリン酸等の電子受容体、電子伝達体等の測定反応に使用する成分、公知の防腐剤、又は安定化剤等を必要に応じて適宜使用することができる。
本発明に使用される脱水素酵素とは、電子受容体と測定対象物質又は測定対象物質から生成した物質の間に酸化反応を起こし、電子受容体の還元体を生成させる反応を触媒する酵素のことをいう。例えば、グルコース脱水素酵素、グルコース−６−リン酸脱水素酵素、３α−ヒドロキシステロイド脱水素酵素、乳酸脱水素酵素、Ｌ−グルタミン酸脱水素酵素又はロイシン脱水素酵素等の公知の脱水素酵素を挙げることができる。
また、本発明に使用される電子伝達体としては、例えば、ジアホラーゼ、フェナジンメトサルフェイト（ＰＭＳ）、１−メトキシフェナジニウムメチルサルフェイト（１−メトキシＰＭＳ）又は９−ジメチルアミノベンゾ−α−フェナゾキソニウムクロライド（メルドラブルー）等の物質を挙げることができる。これらの電子伝達体は、市販品をそのまま使用することができる。【００１９】（４）  測定時のｐＨ
本発明において、試料中の測定対象物質測定時のｐＨ範囲は、テトラゾリウム化合物を用いた測定において通常使用する酵素等の至適ｐＨや安定性により適宜設定すればよい。
また、前記のｐＨ範囲となるように使用する緩衝液としては、前記のｐＨ範囲に緩衝能がある従来公知の緩衝液を適宜使用することができる。
このような緩衝液として使用できるものとしては、例えば、リン酸、トリス（ヒドロキシメチル）アミノメタン、グリシルグリシン、ＭＥＳ、Ｂｉｓ−Ｔｒｉｓ、ＡＤＡ、ＡＣＥＳ、Ｂｉｓ−Ｔｒｉｓプロパン、ＰＩＰＥＳ、ＭＯＰＳＯ、ＭＯＰＳ、ＢＥＳ、ＨＥＰＥＳ、ＴＥＳ、ＤＩＰＳＯ、ＴＡＰＳＯ、ＰＯＰＳＯ、ＨＥＰＰＳ、ＨＥＰＰＳＯ、Ｔｒｉｃｉｎｅ、Ｂｉｃｉｎｅ、ＴＡＰＳ、ＣＨＥＳ、ＣＡＰＳＯ、若しくはＣＡＰＳ又はこれらの塩等の各緩衝剤からなる緩衝液を挙げることができる。【００２０】（５）  試薬等の構成、及び構成成分の濃度等
本発明の測定方法及び測定試薬は、１ステップ法（１試薬系）で実施、構成してもよく、又は２ステップ（２試薬）以上の複数ステップ法（複数試薬系）で実施、構成してもよい。
また、本発明の測定方法及び測定試薬が１ステップ法（１試薬系）である場合は、前記した各構成成分の濃度、及びｐＨ等は前記の範囲のものとすればよく、複数ステップ法（複数試薬系）である場合には、測定対象物質を測定する際の各々の添加量の比で混合した時に、この混合後の測定反応液中の前記構成成分の濃度及びｐＨが、前記した各構成成分の濃度範囲、及びｐＨ範囲等となるように各試薬の構成成分の濃度等を定めればよい。【００２１】（６）  試料
本発明において、試料とは、試料中の測定対象物質の測定を行おうとするもののことであり、このようなものであれば特に限定されない。
このような試料としては、例えば、ヒト又は動物の血液、血清、血漿、尿、大便、精液、髄液、唾液、汗、涙、腹水、羊水、脳等の臓器、毛髪や皮膚や爪や筋肉若しくは神経等の組織及び細胞等の抽出液等が挙げられる。【００２２】（７）  測定対象物質
本発明において、測定対象物質としては、電子受容体の存在下で、該測定対象物質に対して、脱水素酵素が使用できるもの、又は該測定対象物質より生成した物質に対して、電子受容体の存在下で、脱水素酵素が使用できるものであれば、特に限定されないが、例えば、胆汁酸、ブドウ糖、１，５−アンヒドログルシトール、フルクトース、トリグリセライド、リン脂質、総コレステロール、ＨＤＬコレステロール、ＬＤＬコレステロール、遊離脂肪酸、尿素窒素、尿酸、アラニンアミノトランスフェラーゼ、アスパルテートアミノトランスフェラーゼ、アルカリホスファターゼ、コリンエステラーゼ、クレアチニン等を挙げることができる。【００２３】（８）  測定対象物質の測定方法又は測定試薬
本発明は、トリンダー試薬、スーパーオキシドジスムターゼ、又は１，２−ジヒドロキシ−３，５−ベンゼンジスルホン酸若しくはその塩から選択された１種以上の物質を、テトラゾリウム化合物の非特異的発色抑制剤として、測定反応液中又は測定試薬中に存在させた、テトラゾリウム化合物を用いる試料中の測定対象物質の測定方法又は測定試薬である。したがって、基本的な測定対象物質の測定方法については、電子受容体と脱水素酵素を試料に作用させ、生成した電子受容体の還元体をテトラゾリウム化合物を用いて測定する、公知の測定方法に準じて行うことができる。
試料中の測定対象物質を測定する場合には、例えば、試料とトリンダー試薬、スーパーオキシドジスムターゼ、又は１，２−ジヒドロキシ−３，５−ベンゼンジスルホン酸若しくはその塩から選択された１種以上の物質を含有する試薬とを混合する。この試料と試薬との混合物を、電子受容体、脱水素酵素、テトラゾリウム化合物を含有する試薬と混合し、酵素反応を行い、生成した電子受容体の還元体とテトラゾリウム化合物を発色反応させる。この発色前後の反応液の吸光度を測定し、テトラゾリウム化合物による吸光度の変化量を求めること等により、生体試料中の測定対象物質の濃度を測定することができる。
なお、測定は、レートアッセイ法及びエンドポイント法のいずれの方法でも行うことができる。【００２４】（９）  テトラゾリウム化合物の非特異的発色を抑制する方法
本発明における、テトラゾリウム化合物の非特異的発色を抑制する方法は、試料中の測定対象物質の測定において、トリンダー試薬、スーパーオキシドジスムターゼ、又は１，２−ジヒドロキシ−３，５−ベンゼンジスルホン酸若しくはその塩から選択された１種以上の物質の存在下で測定を行うことによるものである。
この試料中の測定対象物質の測定において、トリンダー試薬、スーパーオキシドジスムターゼ、又は１，２−ジヒドロキシ−３，５−ベンゼンジスルホン酸若しくはその塩から選択された１種以上の物質の存在下で測定を行うことにより、試料中にアスコルビン酸やヘモグロビン等の妨害物質が混在している場合であっても、この妨害物質による測定値への誤差が生じることを抑制でき、精度が高い測定対象物質の測定値を得ることができる。
また、本発明におけるテトラゾリウム化合物の非特異的発色を抑制する方法を実施する際の試薬の構成成分や試料や条件等は、前記した通りである。
【実施例】
【００２５】  以下、本発明を実施例により具体的に説明するが、本発明はこれらの実施例により限定されるものではない。
【実施例１】
【００２６】（本発明によるテトラゾリウム化合物の非特異的発色抑制効果の確認−１）
トリンダー試薬、スーパーオキシドジスムターゼ、及び１，２−ジヒドロキシ−３，５−ベンゼンジスルホン酸を、テトラゾリウム化合物を用いた測定試薬に含有させた場合の非特異的発色の抑制効果を確かめた。【００２７】１．測定試薬の調製
（１）胆汁酸測定用第１試薬の調製
下記の試薬成分をそれぞれ記載の濃度になるように、更に表１に記載した１８種類のトリンダー試薬、スーパーオキシドジスムターゼ、又は１，２−ジヒドロキシ−３，５−ベンゼンジスルホン酸をそれぞれ表１に記載した濃度になるように純水に溶解し、ｐＨを７．２（２０℃）に調整し、表１に記載したトリンダー試薬、スーパーオキシドジスムターゼ又は１，２−ジヒドロキシ−３，５−ベンゼンジスルホン酸をそれぞれ含有する（又は含有しない）２０種類の胆汁酸測定用第１試薬を調製した。
ＰＩＰＥＳ  １００ｍＭ
ピルビン酸    １０ｍＭ
アスコルビン酸オキシダーゼ  ０．５単位／ｍＬ【００２８】（２）胆汁酸測定用第２試薬の調製
下記の試薬成分をそれぞれ記載の濃度になるように純水に溶解し、ｐＨを３．０（２０℃）に調整し、胆汁酸測定用第２試薬を調製した。（なお、テトラゾリウム化合物の非特異的な発色のみを測定するため、胆汁酸測定のために必要な酵素である３α−ヒドロキシステロイド脱水素酵素は含有させなかった。）
グリシン  １０ｍＭ
ＥＤＴＡ    １ｍＭ
ニコチンアミドアデニンジニクレオチド  ３ｍＭ
ＷＳＴ−１  ３００μＭ
１−メトキシ−５−メチルフェナジニウムメチルサルフェイト  １５μＭ【００２９】２．試料の調製
ヒト血清にヘモグロビンを、添加濃度が２５０又は５００ｍｇ／ｄＬになるように添加したものを試料とした。
また、ヘモグロビンの代わりに生理食塩水を添加したものをヘモグロビン無添加試料（ヘモグロビン添加濃度が０ｍｇ／ｄＬ）とした。【００３０】３．試料の測定
前記２の各試料について、前記１で調製した２０種類の胆汁酸測定用第１試薬及び胆汁酸測定用第２試薬にて測定を行い、テトラゾリウム化合物の非特異的発色による測定値への誤差を確認した。
本発明の測定試薬における測定は、日立製作所社製７１７０Ｓ形自動分析装置にて行い、前記２で調製した試料の各８μＬに各々前記１で調製した胆汁酸測定用第１試薬１６０μＬを添加して、混和後３７℃で５分間反応させた後、前記１で調製した胆汁酸測定用第２試薬８０μＬを添加し、３７度で５分間反応させた。胆汁酸測定用第２試薬添加直前と添加５分後の主波長４５０ｎｍ及び副波長７００ｎｍにおける吸光度を測定し、その差を求めた。そして、胆汁酸濃度が既知の試料（標準液）について前記の通り測定を行い、この標準液の測定値（吸光度差）と前記の３種類の試料の測定値（吸光度差）を比較することにより、前記３種類の試料の測定値（吸光度差）を胆汁酸濃度に換算した値を各々求めた。【００３１】４．測定結果
試料の測定結果を表１に示した。
【表１】
2008197077.tif 000002
【００３２】  なお、本実施例においては、測定試薬に胆汁酸測定に必要な脱水素酵素である３α−ヒドロキシステロイド脱水素酵素を含有させていないため、各試料の測定値は本来「０」となるべきである。すなわち、各試料の測定で得られた測定値は全てテトラゾリウム化合物の非特異的発色により生じた正誤差である。
表１から明らかなように、第１試薬にトリンダー試薬、スーパーオキシドジスムターゼ又は１，２−ジヒドロキシ−３，５−ベンゼンジスルホン酸を含有させていない（無添加）場合は、試料中のヘモグロビンの影響を受けて、本来「０」となるべき各試料の測定値に正誤差が生じていることが分かる。また、試料中の添加ヘモグロビン濃度が高くなるにつれて、各試料の測定値が上昇しており、正誤差の程度が大きくなっていることが分かる。
これに対して、第１試薬にトリンダー試薬、スーパーオキシドジスムターゼ又は１，２−ジヒドロキシ−３，５−ベンゼンジスルホン酸を含有させた場合は、この測定値の正誤差が減少し改善されていることが分かる。【００３３】  これらのことより、テトラゾリウム化合物を用いた試料中の測定対象物質の測定において、トリンダー試薬、スーパーオキシドジスムターゼ又は１，２−ジヒドロキシ−３，５−ベンゼンジスルホン酸の存在下で測定を行うことにより、試料中にヘモグロビンが混在している場合であっても、このヘモグロビンによる測定値への誤差が生じることを抑制でき、その結果、試料中の妨害物質であるヘモグロビンによるテトラゾリウム化合物の非特異的発色を抑制することが可能となり、正確な測定値を得ることができることが確かめられた。
【実施例２】
【００３４】（本発明によるテトラゾリウム化合物の非特異的発色抑制効果の確認−２）
トリンダー試薬を、テトラゾリウム化合物を用いた測定試薬に含有させた場合の非特異的発色の抑制効果を確かめた。【００３５】１．測定試薬の調製
（１）胆汁酸測定用第１試薬の調製
下記の試薬成分をそれぞれ記載の濃度になるように純水に溶解し、ｐＨを７．２（２０℃）に調整し、トリンダー試薬であるＨＤＡＯＳ濃度の異なる５種類の胆汁酸測定用第１試薬を調製した。
ＨＤＡＯＳ  ０％、０．０１％、０．１％、０．５％又は１％
ＰＩＰＥＳ  １００ｍＭ
ピルビン酸    １０ｍＭ
アスコルビン酸オキシダーゼ  ０．５単位／ｍＬ【００３６】（２）胆汁酸測定用第２試薬の調製
実施例１の１の（２）で調製した胆汁酸測定用第２試薬をそのまま使用した。【００３７】２．試料の調製
ヒト血清にアスコルビン酸を、添加濃度が１０、２０、３０、４０又は５０ｍｇ／ｄＬになるように添加したものを試料とした。
また、アスコルビン酸の代わりに生理食塩水を添加したものをアスコルビン酸無添加試料（アスコルビン酸添加濃度が０ｍｇ／ｄＬ）とした。【００３８】３．試料の測定
前記２の各試料について、前記１で調製した５種類の胆汁酸測定用第１試薬及び胆汁酸測定用第２試薬にて実施例１の３と同様にして測定を行い、テトラゾリウム化合物の非特異的発色による測定値への誤差を確認した。【００３９】４．測定結果
試料の測定結果を表２に示した。なお、表２の胆汁酸換算値は、アスコルビン酸の影響を明確にするために、各アスコルビン酸添加試料の測定値を、アスコルビン酸無添加試料（アスコルビン酸添加濃度が０ｍｇ／ｄＬ）の測定値に対する差として示したものである。【００４０】
【表２】
2008197077.tif 000003
【００４１】  なお、本実施例においては、測定試薬に胆汁酸測定に必要な脱水素酵素である３α−ヒドロキシステロイド脱水素酵素を含有させていないため、各試料の測定値は本来「０」となるべきである。すなわち、各試料の測定で得られた測定値は全てテトラゾリウム化合物の非特異的発色により生じた正誤差である。
表２から明らかなように、第１試薬にＨＤＡＯＳを含有させていない場合は、試料中のアスコルビン酸の影響を受けて、本来「０」となるべき各試料の測定値に正誤差が生じていることが分かる。更に、試料中の添加アスコルビン酸濃度が高くなるにつれて、各試料の測定値が上昇しており、正誤差の程度が大きくなっていることが分かる。
また、本実施例１において、第１試薬にはアスコルビン酸の影響を抑制するためのアスコルビン酸オキシダーゼが含有されているが、第１試薬にＨＤＡＯＳを含有させていない場合は、胆汁酸の測定値に正誤差が生じてしまっていることが分かる。すなわち、アスコルビン酸オキシダーゼでは、テトラゾリウム化合物の非特異的発色を抑制できていないことが分かる。
これに対して、第１試薬にＨＤＡＯＳを含有させた場合は、この測定値の正誤差が減少し改善されていることが分かる。【００４２】  これらのことより、テトラゾリウム化合物を用いた試料中の測定対象物質の測定方法において、トリンダー試薬の存在下で測定を行うことにより、試料中にアスコルビン酸が混在している場合であっても、このアスコルビン酸による測定値への誤差が生じることを抑制でき、その結果、試料中の妨害物質であるアスコルビン酸によるテトラゾリウム化合物の非特異的発色を抑制することが可能となり、正確な測定値を得ることができることが確かめられた。
【実施例３】
【００４３】（本発明によるテトラゾリウム化合物の非特異的発色抑制効果の確認−３）
トリンダー試薬を、テトラゾリウム化合物を用いた測定試薬に含有させた場合の非特異的発色の抑制効果を確かめた。【００４４】１．測定試薬の調製
（１）胆汁酸測定用第１試薬の調製
下記の試薬成分をそれぞれ記載の濃度になるように純水に溶解し、ｐＨを７．２（２０℃）に調整し、トリンダー試薬であるＨＤＡＯＳ濃度の異なる５種類の胆汁酸測定用第１試薬を調製した。
ＨＤＡＯＳ  ０％、０．０１％、０．０５％、０．１％又は０．２％
ＰＩＰＥＳ  １００ｍＭ
ピルビン酸    １０ｍＭ
アスコルビン酸オキシダーゼ  ０．５単位／ｍＬ【００４５】（２）胆汁酸測定用第２試薬の調製
実施例１の１の（２）で調製した胆汁酸測定用第２試薬をそのまま使用した。【００４６】２．試料の調製
４０種類のヒト血清試料（試料番号：１〜４０）を用意した。【００４７】３．試料の測定
前記２の各試料について、前記１で調製した５種類の胆汁酸測定用第１試薬及び胆汁酸測定用第２試薬にて実施例１の３と同様にして測定を行い、テトラゾリウム化合物の非特異的発色による測定値への誤差を確認した。【００４８】４．測定結果
試料の測定結果を表３に示した。【００４９】
【表３】
2008197077.tif 000004
【００５０】  なお、本実施例においては、測定試薬に胆汁酸測定に必要な脱水素酵素である３α−ヒドロキシステロイド脱水素酵素を含有させていないため、各試料の測定値は本来「０」となるべきである。すなわち、各試料の測定で得られた測定値は全てテトラゾリウム化合物の非特異的発色により生じた正誤差である。
表３から明らかなように、試薬にＨＤＡＯＳを含有させていない場合は、試料中の何らかの妨害物質の影響を受けて、本来「０」となるべき各試料の測定値に正誤差が生じていることが分かる。
これに対して、第１試薬にＨＤＡＯＳを含有させた場合は、この測定値の正誤差が減少し改善されていることが分かる。【００５１】  これらのことより、テトラゾリウム化合物を用いた試料中の測定対象物質の測定において、トリンダー試薬の存在下で測定を行うことにより、試料中に妨害物質が混在している場合であっても、この妨害物質による測定値への誤差が生じることを抑制でき、その結果、試料中の妨害物質によるテトラゾリウム化合物の非特異的発色を抑制することが可能となり、正確な測定値を得ることができることが確かめられた。